【手続補正書】
【提出日】平成27年8月3日(2015.8.3)
【手続補正１】
【補正対象書類名】特許請求の範囲
【補正対象項目名】全文
【補正方法】変更
【補正の内容】
【特許請求の範囲】
【請求項１】
撮影光学系の異なる瞳領域からの光束を受光する画素を含む撮像素子から出力される画素信号を取得してピント評価を行なう測距装置において、
前記瞳分割手段で分割される複数の瞳領域の各領域に対応する画素を選択する第１の画素選択モードと、前記複数の瞳領域の所定の異なる２つに対応する画素だけを選択する第２の画素選択モードを選択して設定する画素選択手段と、
設定された画素選択モードで選択される画素から出力される画素信号を取得する画素信号取得手段と、
取得された画素信号に基づいて、前記第１の画素選択モードに従って取得された画素信号から得られる像のコントラストに基づいてピント評価を行なう第１のピント評価手段と、
前記第２の画素選択モードに従って取得された画素信号から得られる像の位相差に基づいてピント評価を行なう第２のピント評価手段と、を備え、
前記第１のピント評価手段および前記第２のピント評価手段のいずれかによりピント評価を行うことを特徴とする測距装置。
【請求項２】
前記第１のピント評価手段は、前記瞳分割手段で特定される瞳領域および前記撮影光学系の状態に基づいて、前記第１の画素選択モードで選択された画素から取得された画素信号から所定のピント評価面における像を生成する現像手段を備えることを特徴とする請求項１に記載の測距装置。
【請求項３】
前記現像手段は、前記所定のピント評価面における像を生成するために、前記瞳分割手段で特定された各瞳領域に対応する画素に異なるシフト量を与える像シフト手段と、前記像シフト手段によるシフト量に従って前記第１の画素選択モードで選択された画素から取得された画素信号を加算する像生成手段とを含むことを特徴とする請求項２に記載に測距装置。
【請求項４】
撮影条件を取得する撮影条件取得手段をさらに備え、前記撮影条件は少なくとも測距点および測距枠の情報を含み、
前記画素選択手段は、前記撮影条件に基づいて前記第１のピント評価手段および前記第２のピント評価手段のいずれでピント評価を行うかを決定し、決定したピント評価に従って画素選択モードを設定することを特徴とする請求項１に記載の測距装置。
【請求項５】
撮影条件を取得する撮影条件取得手段をさらに備え、前記撮影条件は少なくとも測距点および測距枠の情報を含み、
前記画素選択手段は、前記撮影条件に基づいて前記第１のピント評価手段および前記第２のピント評価手段のいずれでピント評価を行うかを決定し、決定したピント評価に従って画素選択モードを設定することを特徴とする請求項２または３に記載の測距装置。
【請求項６】
前記画素選択手段は、前記撮影条件に基づいて、前記第１の画素選択モードおよび第２の画素選択モードでの画素選択での間引き率を設定することを特徴とする請求項４または５に記載の測距装置。
【請求項７】
前記第１のピント評価手段は、前記撮影条件に基づいて前記所定のピント評価面を決定することを特徴とする請求項５に記載の測距装置。
【請求項８】
前記第１のピント評価手段および前記第２のピント評価手段のいずれでピント評価を行うかは、前記画素信号から得られる像のコントラストに基づき決定されることを特徴とする請求項１乃至７のいずれか一項に記載の測距装置。
【請求項９】
前記第１のピント評価手段および前記第２のピント評価手段のいずれでピント評価を行うかは、前記画素信号から得られる像の位相差に基づき決定されることを特徴とする請求項１乃至８のいずれか一項に記載の測距装置。
【請求項１０】
前記第１のピント評価手段および前記第２のピント評価手段のいずれでピント評価を行うかは、測距点に基づき決定されることを特徴とする請求項１乃至９のいずれか一項に記載の測距装置。
【請求項１１】
前記第１のピント評価手段および前記第２のピント評価手段のいずれでピント評価を行うかは、測距枠の大きさに基づき決定されることを特徴とする請求項１乃至１０のいずれか一項に記載の測距装置。
【請求項１２】
前記第１のピント評価手段および前記第２のピント評価手段のいずれでピント評価を行うかは、前記画素信号から得られる像のコントラストに関する評価値を取得する間隔、及び前記評価値の取得数に基づき決定されることを特徴とする請求項１乃至１１のいずれか一項に記載の測距装置。
【請求項１３】
前記第１のピント評価手段および前記第２のピント評価手段のいずれでピント評価を行うかは、前記画素信号から得られた像のコントラストのフィルタ処理を行う周波数帯域に基づき決定されることを特徴とする請求項１乃至１２のいずれか一項に記載の測距装置。
【請求項１４】
撮影光学系の異なる瞳領域からの光束を受光する画素を含む撮像素子から出力される画素信号を取得してピント評価を行うピント評価方法において、
前記瞳分割手段で分割される複数の瞳領域の各領域に対応する画素を選択する第１の画素選択モードと、前記複数の瞳領域の所定の異なる２つに対応する画素だけを選択する第２の画素選択モードを選択して設定する画素選択ステップと、
設定された画素選択モードで選択される画素から出力される画素信号を取得する画素信号取得ステップと、
取得された画素信号に基づいて、前記第１の画素選択モードに従って取得された画素信号から得られる像のコントラストに基づいてピント評価を行なう第１のピント評価ステップと、
前記第２の画素選択モードに従って取得された画素信号から得られる像の位相差に基づいてピント評価を行なう第２のピント評価ステップと、を備え、
前記第１のピント評価ステップおよび前記第２のピント評価ステップのいずれかによりピント評価を行うことを特徴とするピント評価方法。
【請求項１５】
撮影光学系の異なる瞳領域からの光束を受光する画素を含む撮像素子から出力される画素信号を取得してピント評価を行う測距装置を制御するプログラムにおいて、
コンピュータを、
前記瞳分割手段で分割される複数の瞳領域の各領域に対応する画素を選択する第１の画素選択モードと、前記複数の瞳領域の所定の異なる２つに対応する画素だけを選択する第２の画素選択モードを選択して設定するステップ、
設定された画素選択モードで選択される画素から出力される画素信号を取得するステップ、
取得された画素信号に基づいて、前記第１の画素選択モードに従って取得された画素信号から得られる像のコントラストに基づいてピント評価を行なう第１のピント評価ステップ、
前記第２の画素選択モードに従って取得された画素信号から得られる像の位相差に基づいてピント評価を行なう第２のピント評価ステップ、を備え、
前記第１のピント評価ステップおよび前記第２のピント評価ステップのいずれかによりピント評価を行うように機能させるためのプログラム。
【請求項１６】
請求項１５に記載のプログラムを記憶したコンピュータが読み取り可能な記憶媒体。
【請求項１７】
コンピュータを、請求項１乃至１３のいずれか一項に記載された測距装置の各手段として機能させるプログラム。
【請求項１８】
コンピュータを、請求項１乃至１３のいずれか一項に記載された測距装置の各手段として機能させるプログラムを格納した記憶媒体。
【請求項１９】
撮影光学系と、
撮像素子と、
前記撮像素子の画素へ入射する被写体光を前記撮影光学系の特定の瞳領域に制限する瞳分割手段と、
請求項１乃至１３のいずれか一項に記載の測距装置と、
前記測距装置のピント評価に従って、前記撮影光学系を駆動する駆動手段と、
撮影条件に従って、前記撮影光学系および前記測距装置を制御して被写体の撮影を行う制御手段と、
を備えることを特徴とする撮像装置。
【請求項２０】
前記撮影条件を設定する設定手段を備え、
前記撮影条件は、少なくとも測距点、測距枠の情報を含むことを特徴とする請求項１９に記載の撮像装置。
【手続補正２】
【補正対象書類名】明細書
【補正対象項目名】発明の名称
【補正方法】変更
【補正の内容】
【発明の名称】測距装置、それを備えた撮像装置、ピント評価方法およびプログラム
【手続補正３】
【補正対象書類名】明細書
【補正対象項目名】０００８
【補正方法】変更
【補正の内容】
【０００８】
上記課題を解決するため、本発明によれば、撮影光学系の異なる瞳領域からの光束を受光する画素を含む撮像素子から出力される画素信号を取得してピント評価を行なう測距装置は、瞳分割手段で分割される複数の瞳領域の各領域に対応する画素を選択する第１の画素選択モードと、前記複数の瞳領域の所定の異なる２つに対応する画素だけを選択する第２の画素選択モードを選択して設定し、設定された画素選択モードで選択される画素から出力される画素信号を取得し、取得された画素信号に基づいて、前記第１の画素選択モードに従って取得された画素信号から得られる像のコントラストに基づくピント評価、および前記第２の画素選択モードに従って取得された画素信号から得られる像の位相差に基づくピント評価のいずれかによりピント評価を行なう。